(57)【要約】【課題】  格納部に格納されている物品の利用回数を把握することができる物品管理システムを提供する。【解決手段】  格納部３ａに格納されている物品２のＲＦタグに記憶されている当該物品２の識別情報を通信部５の通信により繰り返し取得し、取得した物品２の識別情報と前回取得した物品２の識別情報との比較により最新の識別情報にない物品２の識別情報を抽出し、抽出された欠落分の物品２の識別情報に基づいて取り出し回数記憶部の回数をカウントアップする。これにより、格納部３ａに格納されている物品２の利用回数を把握することができる。【選択図】    図１
2006008302.tif 000002
【特許請求の範囲】
【請求項１】
装着される物品の識別情報を記憶した非接触で通信可能なＲＦタグと、
前記物品を格納する複数の格納部と、
前記格納部毎に設けられ当該格納部に格納された前記物品の前記ＲＦタグと通信する通信部と、
前記物品の識別情報と当該物品が前記格納部から取り出された回数とを対応付けて記憶する取り出し回数記憶部と、
前記格納部に格納されている前記物品の前記ＲＦタグに記憶されている当該物品の識別情報を前記通信部の通信により繰り返し取得するための処理を実行する情報取得手段と、
この情報取得手段により取得した最新の識別情報と前回取得した識別情報とを比較して最新の識別情報にない前記物品の識別情報を抽出する情報抽出手段と、
この情報抽出手段により抽出された前記物品の識別情報に基づいて前記取り出し回数記憶部の回数をカウントアップするカウントアップ手段と、
を備えている物品管理システム。
【発明の詳細な説明】
【技術分野】
【０００１】
本発明は、図書館やレンタルビデオ店等における物品管理システムに関する。
【背景技術】
【０００２】
特許文献１には、ラックの棚に複数の書籍を格納した状態で、書籍に備えた無線タグ（ＲＦタグ）とアンテナを介して通信し、どのラックのどの位置にどの書籍が格納されているかを認識することができ、格納されている書籍を漏れなく管理することができる物品管理棚及び物品管理システムが提案されている。
【０００３】
【特許文献１】特開２００３−７２９１９公報
【発明の開示】
【発明が解決しようとする課題】
【０００４】
ところで、図書館等においては、貸出回数のみならず、閲覧回数も含めた回数に基づいて書籍の利用状態を把握したいという要望がある。書籍の利用頻度を分析しようとする場合において、書籍の貸出回数から把握しようとした場合には、閲覧のみを目的として利用する場合が考慮されないため、利用頻度を正確に分析することができないという問題がある。
【０００５】
特許文献１の物品管理棚及び物品管理システムによれば、格納されている書籍を漏れなく管理することができるが、閲覧のみを目的として利用した回数、すなわちラックから書籍が取りだされた回数を管理することはできない。
【０００６】
本発明は、格納部に格納されている物品の利用回数を把握することができる物品管理システムを提供することを目的とする。
【課題を解決するための手段】
【０００７】
本発明の物品管理システムは、装着される物品の識別情報を記憶した非接触で通信可能なＲＦタグと、前記物品を格納する複数の格納部と、前記格納部毎に設けられ当該格納部に格納された前記物品の前記ＲＦタグと通信する通信部と、前記物品の識別情報と当該物品が前記格納部から取り出された回数とを対応付けて記憶する取り出し回数記憶部と、前記格納部に格納されている前記物品の前記ＲＦタグに記憶されている当該物品の識別情報を前記通信部の通信により繰り返し取得するための処理を実行する情報取得手段と、この情報取得手段により取得した最新の識別情報と前回取得した識別情報とを比較して最新の識別情報にない前記物品の識別情報を抽出する情報抽出手段と、この情報抽出手段により抽出された前記物品の識別情報に基づいて前記取り出し回数記憶部の回数をカウントアップするカウントアップ手段と、を備えている。
【０００８】
したがって、格納部に格納されている物品のＲＦタグに記憶されている当該物品の識別情報が通信部の通信により繰り返し取得され、最新の識別情報と前回取得した識別情報との比較により最新の識別情報にない物品の識別情報が抽出され、抽出された識別情報に基づいて取り出し回数記憶部の回数をカウントアップする。これにより、格納部に格納されている物品の利用回数を把握することが可能になる。
【発明の効果】
【０００９】
本発明によれば、格納部に格納されている物品の利用回数を把握することができる。
【発明を実施するための最良の形態】
【００１０】
本発明の実施の一形態を図１ないし図５に基づいて説明する。本実施の形態の物品管理システムは、図書館における書籍管理システム１に適用されている。
【００１１】
図１は、書籍管理システム１の全体構成を概略的に示す斜視図である。図１に示すように、本実施の形態の書籍管理システム１は、図書や資料等の書籍２を格納する格納部である複数の棚部３ａを有している複数の書架３と、これらの書架３に接続される情報処理装置４とで構成されている。
【００１２】
本実施の形態の書籍２には、ＲＦタグ（図示せず）が各々装着されている。このようなＲＦタグは、ＲＦＩＤ（Radio Frequency IDentification）と称される技術において用いられるものであり、ＩＣタグとも呼ばれているものである。ＲＦタグは、特に図示しないが、この図書館における書籍２の識別情報である書籍番号やその他のデータであるタグ情報を記憶する記憶部を含むＩＣチップと、データを無線で送信できるアンテナとを主体に構成されている。なお、後述するアンテナユニット５との間の無線通信方式としては、静電結合方式、電磁結合方式、電磁誘導方式、マイクロ波方式等、いずれの方式であってもよい。
【００１３】
情報処理装置４は、いわゆるパーソナルコンピュータであって、物品管理システム１全体の制御を受持ち、その電装系は図２に示すような構成とされている。情報処理装置４は、ＣＰＵ（Central Processing Unit）、起動プログラム等を格納するＲＯＭ（Read Only Memory）、ＲＡＭ（Random Access Memory）等で構成される制御部１１を保有し、バス１２を介して接続された通信インタフェース１３から、ケーブル７を介して複数台の書架３の制御装置６との間で相互に通信を実行し得るように構成されている。すなわち、情報処理装置４からケーブル７を介して送受信される信号は、制御装置６を介して各アンテナユニット５に送られる。また、制御部１１にはバス１２及びＩ／Ｏ機器制御部１４を介して、キーボード１５、表示器１６、マウス１７、ハードディスクドライブ装置（以下、ＨＤＤという）１８及びプリンタ１９が接続されている。ＨＤＤ１８には、制御部１１のＣＰＵを動作させるＯＳ（Operating System）やアプリケーション・プログラムの他、書籍管理ファイルＦ１等が格納されている。図３に示すように、書籍管理ファイルＦ１には、書籍２毎に、書籍２に関する情報が記憶されている。具体的には、書籍２を識別する識別情報である書籍番号、書籍名、格納場所（書架３の番号及び棚部３ａの番号）、貸出状態、利用回数（書架３の棚部３ａから取り出された回数）などが記憶されている。すなわち、書籍管理ファイルＦ１は、書籍２の識別情報と当該書籍２が書架３の棚部３ａから取り出された回数とを対応付けて記憶する取り出し回数記憶部である。一般的に、このような情報処理装置４ではユーザが電源を投入すると、制御部１１のＣＰＵはＲＯＭ内のＢＩＯＳに含まれるローダーというプログラムを起動させ、ＨＤＤ１８からＯＳをＲＡＭに読み込む。ＯＳは起動すると、ユーザの操作に応じてアプリケーション・プログラムの起動、情報の読み込み、保存等をサポートする。
【００１４】
書架３の棚部３ａには、ＲＦタグとの通信を行う通信部であるアンテナユニット５がそれぞれ配設されている。また、書架３には、情報処理装置４にケーブル７を介して接続される制御装置６がそれぞれ備えられており、この制御装置６には各棚部３ａのアンテナユニット５が接続されている。制御装置６は、図４に示すように、ＣＰＵ、ＲＯＭ、ＲＡＭ等で構成される制御部２１を保有し、バス２２を介して接続された通信インタフェース２３からケーブル７を介して情報処理装置４との間における信号の送受信を制御するように構成されている。また、制御部２１には、信号を送受信する棚部３ａのアンテナユニット５を切替える棚切替部２４がバス２２を介して接続されている。
【００１５】
このような構成により、情報処理装置４から通信インタフェース２３に入力された信号は、制御装置６で受信制御し、棚切替部２４で切替指定された棚部３ａのアンテナユニット５に送信される。棚切替部２４で切替指定された棚部３ａのアンテナユニット５は、当該棚部３ａに格納された書籍２に装着されているＲＦタグと通信を行う。ＲＦタグはタグ情報（書籍番号等）を返信し、これをアンテナユニット５で受信して情報処理装置４に送信する。なお、１つのアンテナユニット５の通信領域中に複数の書籍２が存在することにより複数のＲＦタグが送信を行っても、情報処理装置４側で弁別処理されて個々のＲＦタグのタグ情報（書籍番号等）を読み取ることができる。
【００１６】
ここで、情報処理装置４に内蔵された制御部１１のＣＰＵがＨＤＤ１８に記憶されている各種プログラムに従って動作することにより実行する機能のうち、本実施の形態の情報処理装置４が備える特長的な機能である利用回数カウント処理について説明する。
【００１７】
図５は、利用回数カウント処理の流れを示すフローチャートである。利用回数カウント処理は、各書架３の制御装置６を介して各棚部３ａのアンテナユニット５を順に動作させる一連の動作を、一定周期で繰り返して行う。図５に示すように、各書架３の制御装置６を介して各棚部３ａのアンテナユニット５を順に動作させて、各書架３の各棚部３ａに格納されている書籍２のＲＦタグに格納されている書籍番号を取得し（ステップＳ１：情報取得手段）、取得した書籍番号をＲＡＭに一時記憶する（ステップＳ２）。
【００１８】
次に、取得した書籍番号と前回に取得した書籍番号との差分を取る（ステップＳ３：情報抽出手段）。そして、前回に取得した書籍番号から欠けている書籍番号が有ると判断すると（ステップＳ４のＹ）、欠けている書籍番号に対して書籍管理ファイルＦ１において対応付けられている利用回数を“１”カウントアップする（ステップＳ５：カウントアップ手段）。
【００１９】
すなわち、前回に取得した書籍番号から欠けている書籍番号が有ると判断される場合は、書籍２が書架３から取り出されている状態であることから、これを利用回数としてカウントアップしていくことにより、どの書籍２が多く利用されているかを判断するための判断材料とすることができる。このようにすることで、貸出回数のみならず、閲覧回数も含めた回数に基づいて書籍２の利用状態を把握することができる。
【００２０】
例えば、極端に利用回数が少ない書籍２については、開架式から閉架式の閲覧方式へと移行させるようにしても良い。また、利用回数が少ない書籍２については、配置が悪いことも考えられる。
【００２１】
このように本実施の形態によれば、書架３の棚部３ａに格納されている書籍２のＲＦタグに記憶されている当該書籍２の識別情報（書籍番号）がアンテナユニット５の通信により一定周期で繰り返し取得され、取得した最新の書籍２の識別情報（書籍番号）と前回取得した書籍２の識別情報（書籍番号）との比較により最新の識別情報にない識別情報（書籍番号）が抽出され、抽出された識別情報（書籍番号）に基づいて書籍管理ファイルＦ１の回数を１だけカウントアップする。これにより、書架３の棚部３ａに格納されている書籍２の利用回数を把握することが可能になる。
【００２２】
なお、本実施の形態では、各種プログラムをＨＤＤ１８に格納するようにしたが、これに限るものではなく、フレキシブルディスク、磁気テープ等のような磁気的な記憶媒体、ＭＯのような光磁気的な記憶媒体、ＣＤ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＡＭ、ＤＶＤ−ＲＷ、ＤＶＤ＋ＲＷ等のような光学的な記憶媒体、半導体メモリ等の各種方式のメディアを記憶媒体として用いるようにしても良い。なお、ＣＤ−ＲＯＭやＤＶＤ−ＲＯＭなどの各種の光学的な記憶媒体、各種の光磁気的な記憶媒体、フレキシブルディスクなどの各種の磁気的な記憶媒体等は、情報処理装置４に固定的に設けられておらず、単体で取り扱える交換自在な記憶媒体としての形態を備え、各メディアに適応した各種プログラム読取装置（ＣＤ−ＲＯＭドライブ等）を用いてプログラムを読み出すことで各種処理が可能になる。
【図面の簡単な説明】
【００２３】
【図１】本発明の実施の一形態の書籍管理システムの全体構成を概略的に示す斜視図である。
【図２】情報処理装置を構成する電装系を示すブロック図である。
【図３】書籍管理ファイルを示す模式図である。
【図４】制御装置を構成する電装系を示すブロック図である。
【図５】利用回数カウント処理の流れを示すフローチャートである。
【符号の説明】
【００２４】
１…物品管理システム、２…物品、３ａ…格納部、５…通信部、Ｆ１…取り出し回数記憶部
【図１】
2006008302.tif 000003
【図２】
2006008302.tif 000004
【図３】
2006008302.tif 000005
【図４】
2006008302.tif 000006
【図５】
2006008302.tif 000007